(57)【要約】【課題】盤裏カバーを遊技盤から取り外されるおそれのない、不正防止効果の高い遊技機を提供すること。【解決手段】パチンコ遊技機１は、遊技盤２と盤裏カバー３とを備え、盤裏カバーと遊技盤との間に形成される略閉鎖された内部空間Ｓにメイン制御基板１１を収納している。盤裏カバーは、遊技盤に対して締結されるインナーカバー部材２０（第１の部材）と、インナーカバー部材に対して締結されるアウターカバー部材４０（第２の部材）と、アウターカバー部材をインナーカバー部材に対して取り外し不能に締結する封止手段５０とを備える。インナーカバー部材は、ネジ３０（締結手段）を用いて締結部２８を遊技盤に対して締結される。アウターカバー部材は、盤裏カバーの外部からの締結部に対する接触を規制してネジによる締結を解除不能とするように、封止手段５０により、インナーカバー部材に対して取り外し不能に締結される。【選択図】図５
2012005763.tif 000002
【特許請求の範囲】
【請求項１】
遊技盤と、
前記遊技盤の裏面側を覆う盤裏カバーとを備え、
前記盤裏カバーと前記遊技盤との間に形成される略閉鎖された内部空間に、遊技を制御する制御基板が収納されるパチンコ遊技機において、
前記盤裏カバーは、前記遊技盤に対して締結される第１の部材と、前記第１の部材に対して締結される第２の部材と、前記第２の部材を前記第１の部材に対して取り外し不能に締結する封止手段とを備えて構成され、
前記第１の部材は、締結手段を用いて締結部を前記遊技盤に対して締結され、
前記第２の部材は、前記盤裏カバーの外部からの前記締結部に対する接触を規制して前記締結手段による締結を解除不能とするように、前記封止手段により、前記第１の部材に対して取り外し不能に締結されていることを特徴とするパチンコ遊技機。
【請求項２】
前記第２の部材は、前記締結部を前記遊技盤との間に挟んで前記第１の部材に締結されていることを特徴とする請求項１に記載のパチンコ遊技機。
【請求項３】
前記第２の部材は、前記締結部を前記内部空間に配置させるよう前記第１の部材に締結されていることを特徴とする請求項１に記載のパチンコ遊技機。
【請求項４】
前記封止手段は、複数設けられていることを特徴とする請求項１から３のいずれか一項に記載のパチンコ遊技機。
【請求項５】
前記締結部と前記遊技盤との間には、接着材が塗布されていることを特徴とする請求項１から４のいずれか一項に記載のパチンコ遊技機。
【請求項６】
前記第１の部材又は前記第２の部材は、前記制御基板を配するための取付座部を備えていることを特徴とする請求項１から５のいずれか一項に記載のパチンコ遊技機。
【発明の詳細な説明】
【技術分野】
【０００１】
本発明は、パチンコ遊技機、特に、遊技盤の裏面側を覆う盤裏カバーを備えたパチンコ遊技機に関する。
【背景技術】
【０００２】
従来から、遊技盤の裏面側を覆う盤裏カバーを備えたパチンコ遊技機として、下記特許文献１に記載のパチンコ遊技機が知られている。この文献に記載のパチンコ遊技機では、遊技盤の裏面側にカバー取付部を固定し、カバー取付部に対して、盤裏カバーをワンウェイネジによって締結している。盤裏カバーと遊技盤との間の閉鎖空間には、遊技機全体の制御を管理するメイン制御基板を収納した基板ケース等を収納している。これにより、メイン制御基板等に対する不正行為を防止可能としていた（下記特許文献の図６参照）。
【先行技術文献】
【特許文献】
【０００３】
【特許文献１】特開２００９−１８３７５４号公報
【発明の概要】
【発明が解決しようとする課題】
【０００４】
しかしながら、上記特許文献に記載のパチンコ遊技機では、遊技盤とカバー取付部との締結に関する工夫がみられない。そのため、遊技盤の輸送時など、不正を行うための時間が十分に確保できる場合には、カバー取付部と遊技盤との締結を解除することによって、カバー取付部、盤裏カバー、および、基板ケースをまとめて遊技盤から取り外し、これらをまとめて不正基板を収納したものに交換されるおそれがあった。なお、不正基板とは、不正な遊技プログラムが記憶された制御基板をいう。
【０００５】
そこで本発明では、上記事情に鑑み、盤裏カバーを遊技盤から取り外されるおそれのない、不正防止効果の高い遊技機を提供することを目的とする。
【課題を解決するための手段】
【０００６】
本発明のパチンコ遊技機は、遊技盤と、前記遊技盤の裏面側を覆う盤裏カバーとを備え、前記盤裏カバーと前記遊技盤との間に形成される略閉鎖された内部空間に、遊技を制御する制御基板が収納されるパチンコ遊技機において、前記盤裏カバーは、前記遊技盤に対して締結される第１の部材と、前記第１の部材に対して締結される第２の部材と、前記第２の部材を前記第１の部材に対して取り外し不能に締結する封止手段とを備えて構成され、前記第１の部材は、締結手段を用いて締結部を前記遊技盤に対して締結され、前記第２の部材は、前記盤裏カバーの外部からの前記締結部に対する接触を規制して前記締結手段による締結を解除不能とするように、前記封止手段により、前記第１の部材に対して取り外し不能に締結されていることを特徴とする。
【０００７】
本発明のパチンコ遊技機では、前記第２の部材は、前記締結部を前記遊技盤との間に挟んで前記第１の部材に締結されている構成とすることができる。
【０００８】
また、本発明のパチンコ遊技機では、前記第２の部材は、前記締結部を前記内部空間に配置させるよう前記第１の部材に締結されている構成とすることができる。
【０００９】
ここで、本発明のパチンコ遊技機では、前記封止手段は、複数設けられていることが望ましい。
【００１０】
また、本発明のパチンコ遊技機では、前記締結部と前記遊技盤との間には、接着材が塗布されていることが望ましい。
【００１１】
また、本発明のパチンコ遊技機では、前記第１の部材又は前記第２の部材は、前記制御基板を配するための取付座部を備えていることが望ましい。
【発明の効果】
【００１２】
本発明によれば、封止手段を破壊しなければ、第２の部材を第１の部材から取り外すことはできない。また、第２の部材を取り外さなければ、盤裏カバーと遊技盤との締結部（すなわち、第１の部材と遊技盤との締結部）に接触して締結手段による締結を解除することはできない。よって、盤裏カバーを遊技盤から取り外すことができず、内部空間から制御基板を取り出して改造や交換などの不正をすることはできない。仮に封止手段を破壊して第２の部材を取り外した場合には、封止手段が破壊された痕跡が残るので、不正行為がなされたことを即座に発見することができる。
【図面の簡単な説明】
【００１３】
【図１】本発明の第１実施形態のパチンコ遊技機が備える遊技盤の背面側を示す概略図である。
【図２】同パチンコ遊技機が備える盤裏カバー等を示す概略分解斜視図である。
【図３】同パチンコ遊技機が備える基板ケースを示す概略分解斜視図である。
【図４】同パチンコ遊技機の遊技盤に対して盤裏カバーを構成するインナーカバー部材を組み付けた状態を示す概略斜視図である。
【図５】インナーカバー部材を組み付けた遊技盤に対して、さらに盤裏カバーを構成するアウターカバー部材を組み付けた状態を示す概略斜視図である。
【図６】同パチンコ遊技機が備える盤裏カバー等の概略横断面図であり、図１のVI‐VI部位に対応する。
【図７】図８と併せて封止手段によりアウターカバー部材をインナーカバー部材に取り外し不能に締結する作業を示す概略断面図であり、図６のVII部位付近を示す。
【図８】アウターカバー部材をインナーカバー部材に取り外し不能に締結した後の封止手段近傍を示す概略断面図である。
【図９】第２実施形態のパチンコ遊技機が備える遊技盤の背面側を示す概略図である。
【図１０】同パチンコ遊技機が備える盤裏カバー等を示す概略分解斜視図である。
【図１１】同パチンコ遊技機の遊技盤に対して盤裏カバーを構成する第１カバー部材を組み付けた状態を示す概略斜視図である。
【図１２】第１カバー部材を組み付けた遊技盤に対して、さらに盤裏カバーを構成する第２カバー部材を組み付けた状態を示す概略斜視図である。
【図１３】変更例のパチンコ遊技機が備える盤裏カバー等の概略横断面図である。
【発明を実施するための形態】
【００１４】
１．第１実施形態
図１は、本発明の第１実施形態のパチンコ遊技機１が備える遊技盤２の背面側を示す概略図である。図１に示すように、遊技盤２の裏面２ａには、盤裏カバー３が取り付けられている。盤裏カバー３は、遊技盤２の裏面２ａ側において上側下側左側右側および後側を略覆っている（図５参照）。盤裏カバー３と遊技盤２との間に形成される略閉鎖された内部空間Ｓには、液晶表示装置６や基板ケース７などの主要部品が配置されている。基板ケース７には、パチンコ遊技を制御するメイン制御基板１１（図３参照）が収納されている。
【００１５】
ここで、本明細書中、上下方向および左右方向は、図１に示す遊技盤２の裏面２ａ側を基準とし、また、前後方向は、遊技盤２の裏面２ａ側を後方とし、遊技盤２の前面側を前方とする。
【００１６】
図２は、パチンコ遊技機１が備える盤裏カバー３等の概略分解斜視図である。図２に示すように、第１実施形態のパチンコ遊技機１は、遊技盤２と、遊技盤２の裏面２ａ側を覆う盤裏カバー３とを備えている。
【００１７】
遊技盤２は、ベニヤ板で形成されている。遊技盤２は、前後方向にくりぬかれた中央部に、後方からセンター役物装置５を配置させ、さらにその後方から液晶表示装置６を配置させている。
【００１８】
盤裏カバー３は、無色透明又は有色透明の合成樹脂材料（例えば、透明なポリカーボネート等）から形成されている。盤裏カバー３は、遊技盤２に取付固定されるインナーカバー部材（第１の部材に相当する）２０と、インナーカバー部材２０に取付固定されるアウターカバー部材（第２の部材に相当する）４０と、アウターカバー部材４０をインナーカバー部材２０に対して取り外し不能に締結する封止手段５０とを備えて構成されている。盤裏カバー３は、インナーカバー部材２０にアウターカバー部材４０を組み付けた全体として、遊技盤２の裏面２ａ側に配置される基板ケース７等の主要部品を覆うものである。
【００１９】
インナーカバー部材２０は、後方から見て長方形の枠形状をした周壁部２１と、周壁部２１の前縁から、仮想鉛直面に沿って外側に向かって延設されたフランジ部２６と、フランジ部２６の右縁側に設けられた封止手段５０（インナー側封止部５２等）とを備えている。封止手段５０については後述する。
【００２０】
フランジ部２６は、左側部および右側部に、インナーカバー部材２０を遊技盤２にネジ固定するための締結部２８を５つずつ備えている。各締結部２８には、ネジ止め用の孔部２９が形成されている。この孔部２９にネジ（締結手段）３０を挿通して、フランジ部２６を遊技盤２の裏面２ａ側の周縁部に締結することにより、インナーカバー部材２０は、図４に示すように、遊技盤２に取り付けられる。また、フランジ部２６は、上縁および下縁に、アウターカバー部材４０の係合凹部４８と係合する押え爪片３２を備えている。
【００２１】
ここで、インナーカバー部材２０を遊技盤２に締結する際には、フランジ部２６の前面（特に各締結部２８付近）と遊技盤２の裏面２ａとの間（図２の網掛け部Ａ参照）に、接着剤を塗布することとしている。これにより、インナーカバー部材２０と遊技盤２との密着性および結合力が高められ、不正を行おうとする者によってインナーカバー部材２０と遊技盤２との間に治具などが挿入されるのを、一層困難にしている。
【００２２】
周壁部２１の後面下部には、基板ケース７を取付可能な基板ケース取付座部３４が延設されている。基板ケース取付座部３４には、基板ケース７に形成された係止片部１７（図３参照）を係合させる係止孔部３５が形成されている。
【００２３】
ここで図３に基づいて基板ケース７について説明する。基板ケース７は、透明なポリカーボネート等の合成樹脂から形成されており、前方側の底側ケース８と後方側の蓋側ケース９とを備えて略箱形状に構成されるとともに、右縁側に、封止部１０（１０ａ，１０ｂ）を備えて構成されている。基板ケース７は、底側ケース８と蓋側ケース９との間にメイン制御基板１１を収納して、第１の係合手段１２（１２ａ，１２ｂ）及び第２の係合手段１３（１３ａ，１３ｂ）を係合させることにより閉塞され、封止部１０を利用して開放不能に封止される。封止部１０は、蓋側ケース９の蓋側封止部１０ａと底側ケース８の底側封止部１０ｂとに跨るように、かしめピン１４を圧入することにより、基板ケース１０を開放不能に封止するものであり、後述する盤裏カバー３の封止手段５０と略同様に構成されている。
【００２４】
基板ケース７に収納されるメイン制御基板１１は、裏面１１ａ（実装面１１ｂの反対側の面）を底側ケース８側に向けて、蓋側ケース９に固定される。メイン制御基板１１は、大当たり抽選（即ち、大当たり乱数の取得とその大当たり乱数を用いた判定）や遊技状態の移行など主に利益に関わる制御を行うものである。大当たり抽選は、遊技球の始動口への入賞に対して行われる。メイン制御基板１１には、始動口に入賞した遊技球を検知する始動口スイッチ、大当たり遊技中に大入賞口を開口させる大入賞口ソレノイド、大入賞口に入賞した遊技球を検知する大入賞口スイッチなどが接続される。
【００２５】
基板ケース７は、底側ケース８の外表面に係止片部１７を備えている。基板ケース７は、係止片部１７を係止孔部３５に係合させることにより、図４に示すように、インナーカバー部材２０に取り付けられる。なお、図４に示すように、インナーカバー部材２０を遊技盤２に取り付けた状態において、周壁部２１の内側の空間には、遊技盤２に取り付けられた液晶表示装置６等の主要部品が配置されることとなる。
【００２６】
図２に示すように、アウターカバー部材４０は、前方を開口させた略箱形状の部材で、後方から見て略長方形枠型の周壁部４１と、後壁部４６とを備えている。周壁部４１における右壁部には、後述する封止手段５０（アウター側封止部６２等）が形成されている。
【００２７】
アウターカバー部材４０は、インナーカバー部材２０に対して後方から取り付けられるものである。周壁部４１は、上面側および下面側に、それぞれ内側に向かって肉抜きされた係合凹部４８を備えている。係合凹部４８は、図５に示すように、アウターカバー部材４０をインナーカバー部材２０に取り付ける際に、インナーカバー部材２０の上下両端部に設けられている押え爪片３２に係合される。これにより、アウターカバー部材４０は、インナーカバー部材２０に係止され、後方への移動を規制される。なお、アウターカバー部材４０をインナーカバー部材２０に取り付けた状態においては、アウターカバー部材４０の周壁部４１の内側面は、インナーカバー部材２０の周壁部２１の外側面に略沿うように近接する。そして、アウターカバー部材４０の周壁部４１は、盤裏カバー３の外壁部を構成し、インナーカバー部材２０の周壁部２１は、盤裏カバー３の内壁部を構成する。
【００２８】
また、図２に示すように、アウターカバー部材４０の周壁部４１は、前面の大きさを、インナーカバー部材２０のフランジ部２６の後面の大きさと略一致させている。すなわち、アウターカバー部材４０の周壁部４１の肉厚（上壁部及び下壁部における上下方向の幅寸法、左壁部及び右壁部における左右方向の幅寸法）は、インナーカバー部材２０のフランジ部２６の幅寸法（フランジ部２６の上部及び下部における上下方向の幅寸法、フランジ部２６の左部及び右部における左右方向の幅寸法）と略一致する。そして、アウターカバー部材４０をインナーカバー部材２０に取り付けた状態では、締結部２８を含むフランジ部２６は、アウターカバー部材４０の周壁部４１と、遊技盤２との間に挟まれる。すなわち、アウターカバー部材４０は、図６に示すように、周壁部４１の前面をネジ３０の頭部３０ａに接触させて、周壁部４１の前面とフランジ部２６の後面との間にネジ３０の頭部３０ａ分の隙間しかない状態で、インナーカバー部材２０に取り付けられる。これにより、盤裏カバー３の外部からインナーカバー部材２０とアウターカバー部材４０との間に工具を挿入してネジ３０を外すことを不可能とし、盤裏カバー３を遊技盤２から取り外せないようにしている。
【００２９】
なお、図１３に示すように、フランジ部２６が、締結部２８に、ネジ３０を挿通する孔部２９と、ネジ３０の頭部３０aを収納する頭部収納部３７を備える構成としてもよい。このような構成とすれば、アウターカバー部材４０は、周壁部４１の前面をフランジ部２６の後面と隙間なく接触させて、インナーカバー部材２０に対して取り付けられることが可能となる。よって、盤裏カバー３の外部からインナーカバー部材２０とアウターカバー部材４０との間に工具を挿入させる余地を略完全になくすことができる。
【００３０】
アウターカバー部材４０は、図５に示すようにインナーカバー部材２０に取り付けられた後、封止手段５０を利用して、図７に示すようにインナーカバー部材２０に対して取り外し不能に締結される。封止手段５０は、図２，７に示すように、インナーカバー部材２０に配設されるインナー側封止部５２と、アウターカバー部材４０に配設されるアウター側封止部６２とを備え、両封止部５２，６２を相互に締結することにより、アウターカバー部材４０をインナーカバー部材２０に対して取り外し不能に締結するものである。なお、実施形態のパチンコ遊技機１では、封止手段５０は、盤裏カバー３の右部に、上下方向に沿って５つ設けられている。各封止手段５０は、同様の構成である。以下、最も下方に設けられている封止手段５０を用いて、アウターカバー部材４０とインナーカバー部材２０とを取り外し不能に締結するものとして説明する。
【００３１】
インナー側封止部５２は、図７に示すように、ホルダ部５３と、かしめピン５８とを備え、図２に示すように、インナーカバー部材２０の右縁側に設けられた略長方形枠形状のインナー側収納部２４内に配設されている。インナー側収納部２４は、左右方向を薄肉としてフランジ部２６の右端部から後方に向かって立設されている。
【００３２】
ホルダ部５３は、図４及び図７に示すように、略円筒形状に形成され、インナー側収納部２４の前壁部２４ａと、インナー側収納部２４の後壁部２４ｂとに対して、外周面５３ａから板状の連結片部５５，５６を伸ばして、インナーカバー部材２０に連結支持されている。
【００３３】
また、ホルダ部５３には、図７に示すように、かしめピン５８が嵌挿される嵌挿孔５４が形成されている。嵌挿孔５４は、ホルダ部５３を左右方向に貫通して形成されており、右方側から順に、六角柱穴状の大径部５４ａと、大径部５４ａより小径の円柱穴状の中径部５４ｂと、中径部５４ｂより小径の円柱穴状の小径部５４ｃとにより構成され、小径部５４ｃには、後述するかしめピン５８の軸部５９ｂが嵌挿される。
【００３４】
かしめピン５８は、金属製とされ、図７に示すように、ピン本体５９と支持リング６０とを備えている。ピン本体５９は、右端側の円板状の頭部５９ａと、頭部５９ａから左方に延びる小径円柱状の軸部５９ｂとを備えている。軸部５９ｂは、外径寸法ｄを嵌挿孔５４の小径部５４ｃの内径寸法Ｄと略等しくして形成されており、かしめピン５８は、ホルダ部５３に摺動可能に保持されている。軸部５９ｂの先端部５９ｃには、環状溝が設けられて、円板状の支持リング６０が嵌められている。
【００３５】
支持リング６０は、アウターカバー部材４０をインナーカバー部材２０に取り外し不能に締結する際、ホルダ部５３と後述するアウター側封止部６２の嵌合部６３との間で位置規制されて、内周縁を軸部５９ｂの外周面に食い込ませ、かしめピン５８が引き抜かれるのを規制する。
【００３６】
アウター側封止部６２は、図７に示すように、かしめピン５８が嵌挿される嵌合部６３を備え、図２に示すように、アウターカバー部材４０の右壁部に設けられた略長方形枠形状のアウター側収納部４４内に配設されている。
【００３７】
嵌合部６３は、ホルダ部５３の形状にあわせて略円筒形状に形成され、図７に示すように、右方側だけに開口して左方側に延びる嵌合孔６４を備えている。嵌合孔６４は、ピン本体５９の先端部５９ｃ側を圧入可能な小径部６４ｂと、小径部６４ｂの開口周縁に配設されて、支持リング６０を収納可能な大径部６４ａとを備えている。嵌合孔６４の小径部６４ｂの内径寸法は、嵌挿孔５４の小径部５４ｃの内径寸法Ｄと略一致する。
【００３８】
また、嵌合部６３は、図４及び図７に示すように、アウター側収納部４４の前壁部４４ａと、アウター側収納部４４の後壁部４４ｂとに対して、外周面６３ａから連結片部６５，６５を伸ばすとともに、アウター側収納部４４に対して天板部６６を伸ばして、アウターカバー部材４０に連結支持されている。
【００３９】
アウターカバー部材４０をインナーカバー部材２０に締結するには、図７，８に示すように、かしめピン５８を、ホルダ部５３から嵌合部６３に跨がるように押し込んでかしめ、軸部５９ｂを、ホルダ部５３の小径部５４ｃと嵌合部６３の小径部６４ｂとに跨がるように配置して、インナー側封止部５２とアウター側封止部６２とを締結する。これにより、アウターカバー部材４０の後方（係合解除方向）への移動が規制され、アウターカバー部材４０はインナーカバー部材２０に対して取り外し不能に締結される。
【００４０】
なお、ホルダ部５３の嵌挿孔５４には、アウターカバー部材４０の締結後にかしめピン５８を引き抜くことができないように、後方からキャップ６７が外れ不能に嵌入される。これにより、インナー側封止部５２を破壊等して盤裏カバー３の封止（すなわち、アウターカバー部材４０とインナーカバー部材２０との取り外し不能な締結）を解除しない限り、アウターカバー部材４０を取り外すことは不可能とされる。
【００４１】
ここで、アウターカバー部材４０をインナーカバー部材２０から取り外す場合について説明する。アウターカバー部材４０をインナーカバー部材２０から取り外す場合には、ホルダ部５３から延びる二本の連結片部５５，５６を分断して（図８の二点鎖線参照）、インナー側封止部５２の連結を断った後、インナー側封止部５２を右方（取外方向）ＰＵ（図８参照）へ移動させて、かしめピン５８を嵌合孔６４から引き抜く。これにより、インナーカバー部材２０とアウターカバー部材４０との封止が解除される。その後、押え爪片３２を係合凹部４８から外してアウターカバー部材４０を後方へ移動させれば、アウターカバー部材４０を取り外すことができる。このように、アウターカバー部材４０を取り外す場合には、インナー側封止部５２を切除しなければならないため、インナー側封止部５２を切除した痕跡がアウターカバー部材４０を取り外したことの痕跡となる。なお、盤裏カバー３には封止手段５０が５つ設けられていることから、アウターカバー部材４０を取り外した後であっても、未使用の封止手段５０を利用すれば、再びアウターカバー部材４０をインナーカバー部材２０に対して取り外し不能に締結することができる。
【００４２】
以上説明したように、第１実施形態のパチンコ遊技機１は、遊技盤２と、遊技盤２の裏面２ａ側を覆う盤裏カバー３とを備え、盤裏カバー３と遊技盤２との間に形成される略閉鎖された内部空間Ｓ（図１，５参照）に、遊技を制御するメイン制御基板１１を収納している。盤裏カバー３は、遊技盤２に対して締結されるインナーカバー部材２０（第１の部材）と、インナーカバー部材２０に対して締結されるアウターカバー部材４０（第２の部材）と、アウターカバー部材４０をインナーカバー部材２０に対して取り外し不能に締結する封止手段５０とを備えて構成されている。インナーカバー部材２０は、ネジ３０（締結手段）を用いて締結部２８を遊技盤２に対して締結されている。アウターカバー部材４０は、盤裏カバー３の外部からの締結部２８に対する接触を規制してネジ３０による締結を解除不能とするように、封止手段５０により、インナーカバー部材２０に対して取り外し不能に締結されている。
【００４３】
したがって、第１実施形態のパチンコ遊技機１によれば、封止手段５０を破壊しなければ、アウターカバー部材４０をインナーカバー部材２０から取り外すことはできない。また、アウターカバー部材４０を取り外さなければ、盤裏カバー３と遊技盤２との締結部２８（すなわち、インナーカバー部材２０と遊技盤２との締結部２８）を触ってネジ３０による締結を解除することはできない。よって、盤裏カバー３を遊技盤２から取り外すことができず、内部空間Ｓからメイン制御基板１１を取り出して改造や交換などの不正をすることはできない。仮に封止手段５０を破壊してアウターカバー部材４０を取り外した場合には、封止手段５０が破壊された痕跡が残るので、不正行為がなされたことを即座に発見することができる。
【００４４】
特に、第１実施形態のパチンコ遊技機１では、アウターカバー部材４０は、締結部２８を遊技盤２との間に挟んでインナーカバー部材２０に締結されている。したがって、アウターカバー部材４０により、盤裏カバー３の外部からの締結部２８に対する接触が規制され、ネジ３０による締結が解除不能となる。換言すれば、ネジ３０が取り外されるのを規制するように、アウターカバー部材４０が取り付けられているため、アウターカバー部材４０が邪魔となりネジ３０を取り外すことができず、盤裏カバー３を遊技盤２から取り外すことができなくなっており、内部空間Ｓからメイン制御基板１１を取り出して改造や交換などの不正をすることができない。
【００４５】
また、第１実施形態のパチンコ遊技機１では、封止手段５０は、複数設けられている。したがって、盤裏カバー３の内部に収納されたメイン制御基板１１をメンテナンス等するために、一旦、アウターカバー部材４０とインナーカバー部材２０との締結を解除した場合であっても、未使用の封止手段５０を利用して、再び、アウターカバー部材４０とインナーカバー部材２０とを外れ不能に締結することができる。
【００４６】
これは、例えば盤裏カバー３を遊技盤２に対して直接取り外し不能に締結した場合に比べて次のようなメリットを有する。盤裏カバー３を遊技盤２に直接取り外し不能に締結する構成である場合、一旦盤裏カバー３を遊技盤２に締結してしまうと、内部に収納したメイン制御基板１１を取り出すためには締結部にあたる遊技盤２の一部を破壊する必要があるが、破壊した遊技盤２を別の遊技盤２に取り換えることは現実的ではないことから、メイン制御基板１１を取り出してメンテナンス等することはできなくなってしまう。これに対して第１実施形態のパチンコ遊技機１によれば、封止手段５０による締結を解除しても、再度、アウターカバー部材４０とインナーカバー部材２０とを外れ不能に締結することができるため、メンテナンス等が必要な場合にはメイン制御基板１１を取り出してメンテナンスや検査をすることができる。よって、遊技店のニーズに適しており、現実的である。
【００４７】
また、第１実施形態のパチンコ遊技機１では、締結部２８と遊技盤２との間には、接着材が塗布されている。したがって、インナーカバー部材２０の締結部２８と遊技盤２との間は隙間なく強固に締結される。よって、盤裏カバー３の外部から締結部２８と遊技盤２との間に治具等を挿入して盤裏カバー３を強引に取り外す不正をしにくくすることができる。
【００４８】
また、第１実施形態のパチンコ遊技機１では、インナーカバー部材２０は、メイン制御基板１１を配するための基板ケース取付座部３４を備えている。したがって、メイン制御基板１１を盤裏カバー３内に収納する際に、別途、基板を取り付ける座部を設けなくてよく、利便性が高い。
【００４９】
また、第１実施形態のパチンコ遊技機１では、盤裏カバー３は、透明部材により形成されている。したがって、メイン制御基板１１を盤裏カバー３の外部から視認することができるので、内部空間Ｓからメイン制御基板１１を取り出すことなく、すなわち、盤裏カバー３（アウターカバー部材４０）を取り外すことなく、メイン制御基板１１を目視検査することができる。
【００５０】
なお、パチンコ遊技機１では、遊技盤２の裏面２ａ側には種々の部品が配設されるため、内部空間Ｓとしてこれらの部品を収納するための十分な領域を確保する必要がある。とはいえ、遊技盤２を取り付ける遊技機枠（図示せず）には、賞球払出装置や賞球用の遊技球が通過するタンクレールなど多数の装置が配置されるため、これらの配置領域を侵略しないよう、盤裏カバー３の外形寸法はできるだけコンパクトにしたいという要求もある。この点、第１実施形態のパチンコ遊技機１では、締結部２８が周壁部４１の外側に配置されており、後述する第２実施形態のパチンコ遊技機１Ａのように締結部７８が内部空間Ｓを侵略することがない。したがって、第１実施形態のパチンコ遊技機１では、盤裏カバー３の外形形状を、遊技機枠に配設された賞球払出装置等の装置を避けるように適宜設計することで、盤裏カバー３の外形寸法を大きくすることなく、内部空間Ｓとして十分な領域を確保することができる。
【００５１】
２．第２実施形態
次に、第２実施形態のパチンコ遊技機１Ａについて、図９から１２に基づいて説明する。なお、第２実施形態のパチンコ遊技機１Ａにおいて、第１実施形態のパチンコ遊技機１と同様の構成については、第１実施形態のパチンコ遊技機１と同様の符号を付して説明を省略する。
【００５２】
図９は、本発明の第２実施形態のパチンコ遊技機１Ａが備える遊技盤２の背面側を示す概略図である。図９に示すように、遊技盤２の裏面２ａには、盤裏カバー３Ａが取り付けられている。盤裏カバー３Ａは、遊技盤２の裏面２ａ側において上側下側左側右側および後側を略覆っている（図１２参照）。盤裏カバー３Ａと遊技盤２との間に形成される略閉鎖された内部空間Ｓには、メイン制御基板１１を収納した基板ケース７や液晶表示装置６などの主要部品が配置されている。
【００５３】
図１０に示すように、第２実施形態のパチンコ遊技機１Ａは、遊技盤２と、盤裏カバー３Ａとを備えている。遊技盤２は、第１実施形態と同様に構成されている。
【００５４】
盤裏カバー３Ａは、無色透明又は有色透明の合成樹脂材料（例えば、透明なポリカーボネート等）から形成されている。盤裏カバー３Ａは、遊技盤２に取付固定される第１カバー部材（第１の部材に相当する）７０と、第１カバー部材７０に取付固定される第２カバー部材（第２の部材に相当する）９０と、第２カバー部材９０を第１カバー部材７０に対して取り外し不能に締結する封止手段９５とを備えて構成されている。盤裏カバー３Ａは、第１カバー部材７０に第２カバー部材９０を組み付けた全体として、遊技盤２の裏面２ａ側に配置される基板ケース７等の主要部品を覆うものである。
【００５５】
第１カバー部材７０は、後方から見て長方形の枠形状をした周壁部７１を備えている。周壁部７１の前面からは、仮想鉛直面に沿って、内側に向かってフランジ部７６が延設されている。
【００５６】
フランジ部７６は、左側部および右側部に、第１カバー部材７０を遊技盤２にネジ固定するための締結部７８を４つずつ備えている。各締結部７８には、ネジ止め用の孔部７９が形成されている。この孔部７９にネジ（締結手段）８０を挿通して、フランジ部７６を遊技盤２の裏面２ａ側の周縁部に締結することにより、第１カバー部材７０は、図１１に示すように、遊技盤２に取り付けられる。第１カバー部材７０が遊技盤２に取り付けられた状態では、周壁部７１の内側の空間に、液晶表示装置６等の主要部品が配置される。
【００５７】
また、第１カバー部材７０は、図１０に示すように、周壁部７１で囲まれた空間の下部に、基板ケース７を取り付ける基板ケース取付座部８２を備えている。基板ケース取付座部８２は、上方から見て略コ字形状とされ、周壁部７１における下壁部に向かって延びている。基板ケース取付座部８２の左端および右端は、周壁部７１における左壁部及び右壁部の内面下部につながっている。基板ケース取付座部８２は、基板ケース７の係止片部１７と係合する係止孔部８３を備えている。係止片部１７を係止孔部８３に係合させることにより、図１１に示すように、基板ケース７は、基板ケース取付座部８２に取り付けられる。
【００５８】
また、第１カバー部材７０の周壁部７１は、上壁部の後部および左壁部の後部上側を、前方へ切り欠いて構成されており、この部位を、第２カバー部材９０の挿入口８５としている。そして、第１カバー部材７０の周壁部７１は、左壁部の後部内側面および右壁部の下側の後部内側面に、第２カバー部材９０の左右の側部９３，９４を摺動可能なガイド溝８６を備えている。
【００５９】
第２カバー部材９０は、前後方向を薄肉とする略長方形薄板状の部材である。第２カバー部材９０は、第１カバー部材７０の周壁部７１の後部上方に設けられた挿入口８５から、側壁部９３，９４をガイド溝８６に沿うよう挿入して、下方へ摺動させることで、図１２に示すように、第１カバー部材７０に取り付けられ、盤裏カバー３Ａにおける後壁部９１を構成する。
【００６０】
第２カバー部材９０は、第１カバー部材７０に取り付けられた後、盤裏カバー３Ａの右上部に設けられた封止手段９５を利用して、第１カバー部材７０に対して取り外し不能に締結される。封止手段９５は、第１実施形態における封止手段５０と同様に構成されている。すなわち、封止手段９５は、第１カバー部材７０に設けられた第１カバー側封止部９６と、第２カバー部材９０に設けられた第２カバー側封止部９７とを備え、両封止部９６，９７を相互に締結することにより、第２カバー部材９０を第１カバー部材７０に対して取り外し不能に締結するものである。第１カバー側封止部９６は、第１実施形態におけるアウター側封止部６２と同様に構成され、第２カバー側封止部９７は、第１実施形態におけるインナー側封止部５２と同様に構成されている。第１カバー側封止部９６は、周壁部７１の右壁部における上側の後部から、右方へ突出するよう設けられた第１カバー側収納部７２内に配置されている。第２カバー側封止部９７は、後壁部９１の右上側から、右方へ突出するよう設けられた第２カバー側収納部９２内に配置されている。第２カバー部材９０を第１カバー部材７０に取り付けた状態において、第２カバー側封止部９７は第１カバー側封止部９６と前後方向に沿って対向する。そして、第１実施形態において封止手段５０を用いてアウターカバー部材４０とインナーカバー部材２０とを締結したのと同様の方法で、封止手段９５を用いて、第２カバー部材９０は第１カバー部材７０に対して取り外し不能に締結される。
【００６１】
第２カバー部材９０が、第１カバー部材７０に取り付けられ、封止手段９５により第１カバー部材７０に対して取り外し不能に締結されると、図１２に示すように、締結部７８は、第１カバー部材７０の周壁部７１及び第２カバー部材９０によって構成される盤裏カバー３Ａの外壁部よりも、内側の内部空間Ｓに位置することになる。したがって、不正を行おうとする者が、締結部７８を手で触ったり、工具を用いてネジ８０を外したりすることができなくなる。よって、第２カバー側封止部９７を切除し、封止手段９５による第２カバー部材９０と第１カバー部材７０との取り外し不能な締結を解除して、第２カバー部材９０を第１カバー部材７０から取り外さない限り、遊技盤２から盤裏カバー３Ａを取り外すことはできなくなる。
【００６２】
なお、第２実施形態では、第１カバー部材７０と遊技盤２との密着性及び結合力を高めるため、フランジ部７６の前面（特に各締結部７８付近）と遊技盤２の裏面２ａとの間（図１０の網掛け部Ｂ参照）に接着剤を塗布して、第１カバー部材７０を取り付けている。よって、第１カバー部材７０と遊技盤２とは、盤裏カバー３Ａの外部から締結部７８と遊技盤２との間に破断治具などを挿入して第１カバー部材７０を引き剥がすことができないよう、強固に固定されている。
【００６３】
また、封止手段９５は、上下方向に沿って３つ設けられているため、メイン制御基板１１の検査やメンテナンス時に、第２カバー側封止部９７を第２カバー部材９０から切除して、第２カバー部材９０と第１カバー部材７０との取り外し不能な締結を解除しても、他の封止手段９５を用いて再び封止することができる。
【００６４】
以上説明したように、第２実施形態のパチンコ遊技機１Ａは、遊技盤２と、遊技盤２の裏面２ａ側を覆う盤裏カバー３Ａとを備え、盤裏カバー３Ａと遊技盤２との間に形成される略閉鎖された内部空間Ｓ（図９，１２参照）に、遊技を制御するメイン制御基板１１を収納している。盤裏カバー３Ａは、遊技盤２に対して締結される第１カバー部材７０（第１の部材）と、第１カバー部材７０に対して締結される第２カバー部材９０（第２の部材）と、第２カバー部材９０を第１カバー部材７０に対して取り外し不能に締結する封止手段９５とを備えて構成されている。第１カバー部材７０は、ネジ８０（締結手段）を用いて締結部７８を遊技盤２に対して締結されている。第２カバー部材９０は、盤裏カバー３の外部からの締結部７８に対する接触を規制してネジ８０による締結を解除不能とするように、封止手段９５により、第１カバー部材７０に対して取り外し不能に締結されている。
【００６５】
したがって、第２実施形態のパチンコ遊技機１Ａによれば、封止手段９５を破壊しなければ、第２カバー部材９０を第１カバー部材７０から取り外すことはできない。また、第２カバー部材９０を取り外さなければ、盤裏カバー３Ａと遊技盤２との締結部７８（すなわち、第１カバー部材７０と遊技盤２との締結部７８）に接触してネジ８０による締結を解除することはできない。よって、盤裏カバー３Ａを遊技盤２から取り外すことができず、内部空間Ｓからメイン制御基板１１を取り出して改造や交換などの不正をすることはできない。仮に封止手段９５を破壊して第２カバー部材９０を取り外した場合には、封止手段９５が破壊された痕跡が残るので、不正行為がなされたことを即座に発見することができる。
【００６６】
特に、第２実施形態のパチンコ遊技機１Ａでは、第２カバー部材９０は、締結部７８を内部空間Ｓに配置させるよう第１カバー部材７０に締結されている。換言すれば、締結部７８は、第１カバー部材７０の周壁部７１及び第２カバー部材９０により構成される盤裏カバー３Ａの外壁部よりも内側に位置しており、盤裏カバー３Ａ自体に覆われている。したがって、締結部７８を盤裏カバー３Ａの外部から手で触れることができない。そのため、ネジ８０を外すことができず、盤裏カバー３Ａを遊技盤２から取り外すことはできない。よって、内部空間Ｓからメイン制御基板１１を取り出して改造や交換などの不正をすることができない。
【００６７】
３．変更例
以上、本発明の実施形態について説明したが、本発明の実施にあたっては、上記実施形態に限定されるものではなく、特許請求の範囲を逸脱しない限りにおいて種々の構成を採り得る。
【００６８】
例えば、実施形態では、基板ケース取付座部３４又は基板ケース取付座部８２は、インナーカバー部材２０又は第１カバー部材７０が備える構成としたが、アウターカバー部材４０又は第２カバー部材９０が備える構成としてもよい。この場合、基板ケース取付座部は、アウターカバー部材４０に設ける場合は後壁部４６の内面側に形成し、第２カバー部材９０に設ける場合は前面側に形成する。これにより、メイン制御基板１１を盤裏カバー３又は盤裏カバー３Ａ内に収納する際に、別途、メイン制御基板１１を取り付ける座部を設ける必要はなくなるので、利便性の高い盤裏カバーを構成できる。
【００６９】
また、実施形態では、封止手段５０，９５は、かしめピンにより封止部相互を締結する構成としたが、盤裏カバーを構成する第１の部材と第２の部材とを取り外し不能に締結可能であれば、他の構成のものを用いてもよい。例えば、かしめピンを利用せず、鉄片を用いて封止部相互を締結する構成や、ワンウェイネジを用いて第１の部材と第２の部材とを締結する構成などを採用することができる。また、第１の部材と第２の部材とに錠前取付部を設け、南京錠や符号錠などの鍵を用いて、両錠前取付部に跨るように錠前をかけて、第１の部材と第２の部材とを取り外し不能に締結したり、電子錠を用いて第１の部材と第２の部材とを取り外し不能に締結したりしてもよい。
【符号の説明】
【００７０】
１，１Ａ…パチンコ遊技機
２…遊技盤
２ａ…遊技盤の裏面
３，３Ａ…盤裏カバー
１１…メイン制御基板
２０…インナーカバー部材（第１の部材）
２８，７８…締結部
３０，８０…ネジ（締結手段）
３４，８２…基板ケース取付座部
４０…アウターカバー部材（第２の部材）
５０，９５…封止手段
７０…第１カバー部材（第１の部材）
９０…第２カバー部材（第２の部材）
Ｓ…内部空間
Ａ，Ｂ…接着剤
【図１】
2012005763.tif 000003
【図２】
2012005763.tif 000004
【図３】
2012005763.tif 000005
【図４】
2012005763.tif 000006
【図５】
2012005763.tif 000007
【図６】
2012005763.tif 000008
【図７】
2012005763.tif 000009
【図８】
2012005763.tif 000010
【図９】
2012005763.tif 000011
【図１０】
2012005763.tif 000012
【図１１】
2012005763.tif 000013
【図１２】
2012005763.tif 000014
【図１３】
2012005763.tif 000015